(57)【要約】【解決手段】温風を排出する排出口１Ａを容器１の上部に設ける。送風機１０と排出口１Ａとの間に複数枚のシート状物を縦向きにして略等間隔に支持する支持体３を設ける。各シート状物のそれぞれ相互間に温風を吹付ける。容器１は、複数枚のシート状物を収納する乾燥室１Ｂと、該乾燥室１Ｂの下面に仕切板６を介して設けられ送風機１０を収納する温風送風室１Ｃとから成る。送風機１０は、ファン１１と、ヒーター１２と、送風ダクト１３とからなる。該送風ダクト１３から排出口１Ａに至る風向が、乾燥室１Ｂに収納したシート状物の対角線状に沿って送風するように設ける。【効果】水分含有量の多い使用済みのシート状乾燥剤を、まとめて短時間で再乾燥させることが可能である。【選択図】      図１
2005030649.tif 000002
【特許請求の範囲】
【請求項１】
容器内部の底部側から上方に向けて温風を送風する送風機を有し、容器内の収納物を乾燥せしめる乾燥機において、温風を排出する排出口を容器の上部に設け、送風機と排出口との間に複数枚のシート状物を縦向きにして略等間隔に支持する支持体を設け、各シート状物のそれぞれ相互間に温風を吹付けることを特徴とするシート用乾燥装置。
【請求項２】
前記容器は、複数枚のシート状物を収納する乾燥室と、該乾燥室の下面に仕切板を介して設けられ送風機を収納する温風送風室とから成り、前記送風機は、温風送風室に送風するファンと、該ファンの風を温風に温めるヒーターと、該温風を収束して乾燥室内の各シート状物のそれぞれに送風せしめる送風ダクトとからなり、該送風ダクトから排出口に至る風向が、乾燥室に収納したシート状乾燥剤の対角線状に沿って送風するように設けた請求項１記載のシート用乾燥装置。
【請求項３】
前記支持体は、シート状乾燥剤から成るシート状物を支持した状態のまま前記容器内部に着脱自在に装着される枠体状を成し、複数枚のシート状物を縦向きに略等間隔に支持する間隔支持杆と、シート状物を載置する底支持杆と、乾燥室内部の前記仕切板上面に載置し、該仕切板上面に設けた係止具に、着脱自在に係止する係止杆とからなる請求項１又は２記載のシート用乾燥装置。
【発明の詳細な説明】
【０００１】
【発明の属する技術分野】
本発明は、主にシート状の乾燥材を再乾燥させるシート用乾燥装置に係り、押し花等を作成する際に、台紙と重ねて使用する乾燥用シート等を繰り返し乾燥させて再使用できるようにしたシート用乾燥装置に関するものである。
【０００２】
【従来の技術】
従来、乾燥剤を再乾燥せしめる装置として、特許文献１に記載された乾燥装置がある。この乾燥装置では、保護網の中に収納された複数段の乾燥剤を保護網ごと乾燥装置の中に収納し、この保護網の下端部から保護網の内部に熱風を送風して乾燥剤を乾燥させるものである。この特許文献１では、乾燥剤の再生の他、湿気を帯びた菓子類などの比較的水分含有量の少ない物品を乾燥させるものとして考案されている。
【０００３】
一方、特許文献２に記載された簡易小物乾燥器において、靴下等の小物の乾燥に使用する乾燥器が提案されている。この乾燥器では、小物衣料品を乾燥するために考案されており、鎧戸型の被乾燥物台にスリットを設け、このスリットの下から温風を吹き上げて被乾燥台上の小物衣料品を乾燥させるものである。また、この乾燥器で使用する温風は、例えばドライヤーなどの温風を利用するもので、乾燥器の一部にアダプターを設け、このアダプターにドライヤーなどの口金を連結して送風するようにしている。
【０００４】
【特許文献１】
実公昭５６‐２１５５号公報
【特許文献２】
実開昭６１‐１４８２９８号公報
【０００５】
【発明が解決しようとする課題】
しかしながら、特許文献１、２に記載された乾燥装置では、比較的水分含有量の少ない物品や、靴下等の小物衣料品等を乾燥させることは可能でも、押し花等を作成する際に、台紙と重ねて使用する乾燥用シートに吸収された多量の水分を乾燥させることは困難である。
【０００６】
すなわち、特許文献１では、装置本体の内部に温風を循環させた後、温風が熱風に変わったところで、バイメタルの動作で蓋体の開放弁を開放し、熱風を排出するようにしている。このように、装置本体の内部で温風を循環させて乾燥できるのは、元々水分含有量の少ない湿気を帯びた菓子類や小さな乾燥剤などに限られ、水分含有量が極めて多い大型シート状の乾燥剤を乾燥させる場合に温風を循環させると、乾燥効率が悪くなる不都合が生じる。
【０００７】
また、金網状の装置本体内部に被乾燥物を積み上げ、この下から温風を送風するものであるから、被乾燥物の上に積み上げられたものほど乾燥し難いものになる。したがって、多量の被乾燥物を均一に乾燥させることは困難となり、水分含有量の多いシート状乾燥剤を何枚もまとめて乾燥させることは期待できない。
【０００８】
一方、特許文献２は、スリットを設けた鎧戸状の被乾燥台の上に小物衣料品を載せる構造を採用しているので、シート状乾燥剤の乾燥には適していない。しかも、ドライヤーなどの温風を横向きで容器の底部に送り込んだ後、底部に設けたスリットを通して鎧戸状の被乾燥台の上に送風するようにしている。このため、ドライヤーの送風口に近いスリットから大量の温風が送風されるが、ドライヤーの送風口から離れたスリットでは、効果的な送風が困難にならざるを得ない。したがって、ドライヤーからの温風は、底部のスリットから均一に送風され難くなっている。また、乾燥器とドライヤーとを組み合わせて使用するので、ドライヤーや連結各部に、異常加熱が生じ易く安全上の課題が残されている。
【０００９】
そこで本発明は、上述の課題を解消すべく創出されたもので、水分含有量の多いシート状乾燥剤をまとめて短時間で乾燥させることが可能なシート用乾燥装置の提供を目的とするものである。
【００１０】
【課題を解決するための手段】
上述した目的を達成するため、本発明の第１の手段は、容器１内部の底部側から上方に向けて温風を送風する送風機１０を有し、容器１内の収納物を乾燥せしめる乾燥機において、温風を排出する排出口１Ａを容器１の上部に設け、送風機１０と排出口１Ａとの間に複数枚のシート状物を縦向きにして略等間隔に支持する支持体３を設け、各シート状物のそれぞれ相互間に温風を吹付けることにある。
【００１１】
第２の手段における容器１は、複数枚のシート状物を収納する乾燥室１Ｂと、該乾燥室１Ｂの下面に仕切板６を介して設けられ送風機１０を収納する温風送風室１Ｃとから成り、前記送風機１０は、温風送風室１Ｃに送風するファン１１と、該ファン１１の風を温風に温めるヒーター１２と、該温風を収束して乾燥室１Ｂ内の各シート状物のそれぞれに送風せしめる送風ダクト１３とからなり、該送風ダクト１３から排出口１Ａに至る風向が、乾燥室１Ｂに収納したシート状物の対角線状に沿って送風するように設けてある。
【００１２】
第３の手段における支持体３は、シート状乾燥剤Ｐから成るシート状物を支持した状態のまま前記容器１内部に着脱自在に装着される枠体状を成し、複数枚のシート状物を縦向きに略等間隔に支持する間隔支持杆３Ａと、シート状物を載置する底支持杆３Ｂと、乾燥室１Ｂ内部の前記仕切板６上面に載置し、該仕切板６上面に設けた係止具６Ａに、着脱自在に係止する係止杆３Ｃとからなる。
【００１３】
本発明によると、送風機１０によって容器１の底部から排出口１Ａ方向に送風される温風は、シート状乾燥剤Ｐ等の両面を乾燥させながらこの盤面に沿って上昇し、排出口１Ａから上方へ排出される。この結果、シート状乾燥剤Ｐ等が含有した水分は、温風に導かれて最短距離で容器１上方へと排出されることになる。
【００１４】
【発明の実施の形態】
以下、図面を参照して本発明の実施の形態を説明する。
【００１５】
本発明乾燥装置は、主に押し花等を作成する際に、台紙と重ねて使用する大型のシート状乾燥剤Ｐを再乾燥せしめる装置として使用される（図１参照）。また、他のシート状物を乾燥することも可能である。容器１内の底部には送風機１０を設けてあり、この送風機１０から上方に向けて温風を送風するものである（図２参照）。
【００１６】
容器１の前面を開閉自在に施蓋する蓋体２を設ける。また、容器１の上部後面に排出口１Ａを開口する（図１参照）。この排出口１Ａは、シート状乾燥剤Ｐを乾燥させる温風を排出する。図６は、他の実施例を示すもので、この蓋体２は、容器１の上方に設けた開口部に沿って、上下にスライド開閉する蓋体２を示している。このように、蓋体２の形状や開閉方向は任意に変更することが可能である。
【００１７】
図２に示す容器１は、複数枚のシート状乾燥剤Ｐを支持乾燥する乾燥室１Ｂと、該乾燥室１Ｂの下面に仕切板６を介して設けられ乾燥室１Ｂに温風を送付する温風送風室１Ｃとが分離されている。この温風送風室１Ｃに送風機１０を収納している（図２参照）。送風機１０は、送風用のファン１１と、送風を温風に温めるヒーター１２と、該温風を収束して乾燥室１Ｂ内の各シート状乾燥剤Ｐのそれぞれに送風せしめる送風ダクト１３とから成る。
【００１８】
図３に示す送風機１０は、ファン１１とヒーター１２と送風ダクト１３とで構成されている。ファン１１用のモーター１４は、温風送風室１Ｃの下面を仕切る仕切り板７を介して下方に配置することで、温風送風室１Ｃ内の加熱温度に影響を受け難くしている（図２参照）。また、このモーター１４に冷却ファン１５を装着することで、モーター１４の加熱を防止し、モーター１４の耐久性能を維持することができる。
【００１９】
送風ダクト１３は、ファン１１により生じる風を送風する際に、送風ダクト１３の内部に設けたヒーター１２で温風にすると共に、仕切板６の開口部６Ｂから前記乾燥室１Ｂ内のシート状乾燥剤Ｐに効果的に当たるように開口部１３Ａを設けている（図２、図３参照）。図示例の送風ダクト１３の排出口は、容器１の排出口１Ａに対角位置に設定し、略平行に支持されたシート状乾燥剤Ｐの各隙間に温風が当たるようにしている（図２参照）。また、図示していないが、排出口１Ａを容器１の頂部に設けた場合は、この排出口１Ａの鉛直下方に送風ダクト１３の排出口を設定しても良い。尚、送風機１０には、オーバーヒートを防止する温度調節装置を備えることが望ましい（図示せず）。また、図１に示す符号５は、送風機１０用のタイマーであり、一定の時間経過後に送風機１０の電源をＯＦＦにする。
【００２０】
支持体３は、送風機１０と排出口２Ａとの間に垂直に立設したもので、該支持体３の間に、使用済みのシート状乾燥剤Ｐを略垂直且つ略平行に立てかけて乾燥させる。そして、支持体３の間に個別に立設された複数枚のシート状乾燥剤Ｐの両面に温風を吹付ける。
【００２１】
図３、図４に示す支持体３は、枠体状を成し、シート状乾燥剤Ｐを支持した状態で、前記容器１内部に着脱自在に装着できるようにしている。すなわち、この支持体３は、間隔支持杆３Ａ、底支持杆３Ｂ、係止杆３Ｃから成る（図３参照）。間隔支持杆３Ａは、複数枚のシート状乾燥剤Ｐを略垂直且つ略平行に支持する（図４参照）。図示の間隔支持杆３Ａは、側面略波形状に屈曲したもので、厚みを３ｍｍに設定した乾燥シート剤Ｐを想定して、各間隔支持杆３Ａの間隔を３．５乃至４．０ｍｍに設定している。このように、間隔支持杆３Ａの間隔をシート状乾燥剤Ｐの厚みプラス０．５乃至１．０ｍｍに設定すると、各支持体３の間を吹き抜ける温風がシート状乾燥剤Ｐの両面を効率良く乾燥させることができる。
【００２２】
底支持杆３Ｂは、シート状乾燥剤Ｐの底部を支持するもので、前記仕切板６から離れた位置でシート状乾燥剤Ｐを支持している（図５参照）。このように支持することで、温風送風室１Ｃ内の温度が仮に加熱した場合でも、シート状乾燥剤Ｐを直接加熱することがなく、安全な使用が可能になる。
【００２３】
係止杆３Ｃは、容器１内部の仕切板６に着脱自在に係止する（図４、図５参照）。図示の係止杆３Ｃは間隔支持杆３Ａの下端部に設けられ、仕切板６の上面に設けた係止具６Ａに、着脱自在に係止するものである。このように、係止杆３Ｃを設けることで、支持体３にシート状乾燥剤Ｐを支持した状態で、前記容器１内部に着脱自在に装着できる。この結果、シート状乾燥剤Ｐの支持体３への着脱を、容器１の外で行うことができ、多数のシート状乾燥剤Ｐを扱う乾燥機として極めて効率の良い使用が可能になる。
【００２４】
図６、図７は、本発明の他の実施例を示している。この実施例では、容器１の開口部に沿って、上下にスライド開閉する蓋体２を設け、前記支持体３の間隔支持杆３Ａに代えて板体状を成した支持板４を用いている。更に、容器１の開口部に対して、支持板４の上端縁が傾斜するように設けてある（図６参照）。蓋嵌合部４をこのように設置することで、シート状乾燥剤Ｐの収納作業や取り出し作業を容易に行うことができる。また、支持体３の間から、シート状乾燥剤Ｐの一部が表出するので、この表出した一部を見てシート状乾燥剤Ｐの乾燥状態を確認することも可能になる。更に、排出口１Ａを容器１の頂部に開口し、この排出口１Ａの鉛直下方から温風を送風するように設けている（図７参照）。このように、排出口１Ａや送風方向は任意に設定できるものである。
【００２５】
【発明の効果】
本発明は上述の如く構成したことにより、当初の目的を達成した。すなわち、容器１内部の底部側から上方に向けて温風を送風する送風機１０を有し、容器１内の収納物を乾燥せしめる乾燥機において、温風を排出する排出口１Ａを容器１の上部に設け、送風機１０と排出口１Ａとの間に複数枚のシート状物を縦向きにして略等間隔に支持する支持体３を設け、各シート状物のそれぞれ相互間に温風を吹付けることにより、シート状物が含有した水分は、温風に導かれて容器１上方へと排出されることになる。この結果、水分を大量に吸っているシート状乾燥剤Ｐであっても極めて効率良く、短時間で乾燥させることが可能になった。
【００２６】
また、容器１は、複数枚のシート状物を収納する乾燥室１Ｂと、該乾燥室１Ｂの下面に仕切板６を介して設けられ送風機１０を収納する温風送風室１Ｃとから成り、前記送風機１０は、温風送風室１Ｃに送風するファン１１と、該ファン１１の風を温風に温めるヒーター１２と、該温風を収束して乾燥室１Ｂ内の各シート状物のそれぞれに送風せしめる送風ダクト１３とからなり、該送風ダクト１３から排出口１Ａに至る風向が、乾燥室１こに収納したシート状物の対角線状に沿って送風するように設けているので、複数枚のシート状物を極めて効率良く、合理的に乾燥させることができる。
【００２７】
さらに、支持体３は、シート状乾燥剤Ｐから成るシート状物を支持した状態のまま前記容器１内部に着脱自在に装着される枠体状を成し、複数枚のシート状物を縦向きに略等間隔に支持する間隔支持杆３Ａと、シート状物を載置する底支持杆３Ｂと、乾燥室１Ｂ内部の前記仕切板６上面に載置し、該仕切板６上面に設けた係止具６Ａに、着脱自在に係止する係止杆３Ｃとからなるので、前記送風ダクト１３から送風する温風を各シート状物に均一に当てることが可能になり、多数のシート状乾燥剤Ｐでも短時間で乾燥できる。
【００２８】
このように、本発明によると、水分含有量の多いシート状乾燥剤をまとめて短時間で乾燥させることができるようになった。
【図面の簡単な説明】
【図１】本発明の一実施例を示す斜視図である。
【図２】本発明の内部を示す要部縦断面図である。
【図３】本発明の温風送風室の内部を示す平断面図である。
【図４】本発明の乾燥室の内部を示す平断面図である。
【図５】本発明の支持体と仕切板とを示す側面図である。
【図６】本発明の他の実施例を示す斜視図である。
【図７】本発明の他の実施例を示す平面図である。
【符号の説明】
Ｐ  シート状乾燥剤
１  容器              １Ａ  排出口
１Ｂ  乾燥室
１Ｃ  温風送風室
２  蓋体
３  支持体            ３Ａ  間隔支持杆
３Ｂ  底支持杆
４  支持板
５  タイマー
６  仕切板            ６Ａ  係止具
６Ｂ  開口部
１０  送風機
１１  ファン
１２  ヒーター
１３  送風ダクト      １３Ａ  開口部
【図１】
2005030649.tif 000003
【図２】
2005030649.tif 000004
【図３】
2005030649.tif 000005
【図４】
2005030649.tif 000006
【図５】
2005030649.tif 000007
【図６】
2005030649.tif 000008
【図７】
2005030649.tif 000009